(57)【要約】【課題】流水検知装置の取水口の摩耗、損傷を防ぐ。【解決手段】制御弁１によって一次側３と二次側４とを開閉する乾式又は予作動式スプリンクラー設備に用いられ、前記制御弁１の開弁状態で取水口１１から導入される水圧によって前記配管内の水の流れを検知する流水検知装置において、前記制御弁１をバタフライ弁とし、前記取水口１１を二次側４の弁室内に鉛直上向きに開口させる。その取水口１１にフロート弁体１０を設けて、そのフロート弁体１０は、制御弁１の開放時に浮力により上昇して取水口１１を開放し、閉鎖時に自重により下降して取水口１１を閉じるようにする。フロート弁体１０が二次側４に供給される水の浮力により取水口１１を開閉するので、制御弁１の弁体２を取水口１１に当接させる必要がない。このため、弁体２及びそれに接触する取水口１１周囲の摩耗、損傷を防止し得る。また、取水口１１の設置位置の制約が少なくなり構造をシンプルにすることができる。【選択図】図１
2008008352.tif 000002
【特許請求の範囲】
【請求項１】
制御弁１によって配管の一次側３と二次側４とを開閉する乾式又は予作動式スプリンクラー設備に用いられ、前記制御弁１の開弁状態で前記配管内に開口する取水口１１から導入される水圧によって前記配管内の水の流れを検知する流水検知装置において、
前記取水口１１を二次側４の弁室内に鉛直上向きに開口させ、その取水口１１にフロート弁体１０を設けて、そのフロート弁体１０は、前記制御弁１の開放時に二次側４に充水された水からの浮力により上昇して前記取水口１１を開放し、制御弁１の閉鎖時に自重により下降して前記取水口１１を閉じることを特徴とする流水検知装置。
【請求項２】
前記制御弁１をバタフライ弁としたことを特徴とする請求項１に記載の流水検知装置。
【発明の詳細な説明】
【技術分野】
【０００１】
この発明は、消火用スプリンクラー設備に使用される流水検知装置に関するものである。
【背景技術】
【０００２】
一般に、消火用スプリンクラー設備に使用される流水検知装置は、建物内の天井等に設置されたスプリンクラーヘッドに通じる配管の途中に設けられ、その配管に生じた流水を検知して、スプリンクラー設備が作動していることを示す所定の警報を発信することを目的とするものである。
【０００３】
例えば、特許文献１には、乾式と呼ばれるスプリンクラー設備に使用される流水検知装置の技術が開示されている。
乾式スプリンクラー設備では、スプリンクラーヘッドに通じる配管の途中に設けられた弁装置を挟んで二次側に加圧空気等の気体が、また一次側に水が充填されている。また、スプリンクラーヘッドには、感熱部が設けられて常温ではシールされた状態となっている。
火災が発生し感熱部が熱で溶けると、そのシールされていた部分が開放されて二次側の空気が放出される。二次側の気圧の減少により、配管の途中に設けられた前記弁装置が開き一次側から二次側へ水が供給され放水が開始される。
このとき、前記弁装置の弁体によって塞がれていた流水検知装置の流路が開いて、その流路を介して水圧が警報装置に作用するようになっている。水圧が警報装置に作用すると、配管に流水が生じていることを示す所定の警報を発令する。
【特許文献１】特開２００３−３０５１３７号公報
【０００４】
また、流水検知装置は、予作動式と呼ばれるスプリンクラー設備にも使用される。
予作動式スプリンクラー設備では、制御弁を挟んで二次側に加圧空気等の気体が、また一次側に水が充填されている。また、スプリンクラーヘッドには、同様に感熱部が設けられている。
スプリンクラーヘッドとは別に設けられた感知器が火災の発生を感知すると、制御弁を開放させるとともに、スプリンクラーヘッドの感熱部が溶けてシールが開放され、放水が開始される。
このように、制御弁の開放、感熱部のシールの開放が併せて行われることにより放水が開始されるようにし、装置の誤作動による誤った放水を防ぐものである（例えば、特許文献２、特許文献３参照）。
【特許文献２】特開平６−７９０１４号公報
【特許文献３】実開平２−３５７６０号公報
【発明の開示】
【発明が解決しようとする課題】
【０００５】
上記乾式スプリンクラー設備や、予作動式スプリンクラー設備において、流水検知装置の取水口は、制御弁の弁座に開口して設けられる。弁座に制御弁の弁体が当接することによりその取水口が閉鎖され、弁座から制御弁の弁体が離れることによりその取水口が開放される。
このため、弁体と弁座とが接触、離反を繰り返すことにより、その取水口周囲の弁座が摩耗、損傷する場合がある。取水口周囲の弁座、あるいは弁体が摩耗、損傷すると、取水口を水密に閉鎖できなくなり、流水検知装置に誤作動を生じさせるので好ましくない。
【０００６】
そこで、この発明は、流水検知装置の取水口の摩耗、損傷を防ぐことを課題とする。
【課題を解決するための手段】
【０００７】
上記の課題を解決するために、この発明は、制御弁によって配管の一次側と二次側とを開閉する乾式又は予作動式スプリンクラー設備に用いられ、前記制御弁の開弁状態で前記配管内に開口する取水口から導入される水圧によって前記配管内の水の流れを検知する流水検知装置において、前記取水口を二次側の弁室内に鉛直上向きに開口させ、その取水口にフロート弁体を設けて、そのフロート弁体は、前記制御弁の開放時に二次側に充水された水からの浮力により上昇して前記取水口を開放し、制御弁の閉鎖時に自重により下降して前記取水口を閉じる構成を採用した。
【０００８】
二次側の弁室に上向きに開口させた流水検知装置の取水口にフロート弁体を設けたので、制御弁が開放されて一次側から二次側に水が供給されると、フロート弁体は、その二次側に供給された水から受ける浮力により上昇し、前記取水口を開放する。また、制御弁が閉じて二次側に水がなくなれば、フロート弁体はその自重により下降して前記取水口を閉じる。
【０００９】
フロート弁体を採用することにより、二次側に供給される水の浮力を活用して取水口を開閉させたので、制御弁の弁体を取水口に当接させる必要がない。このため、弁体との接触による取水口周囲の摩耗、損傷を防止し得る。
また、制御弁の弁体を取水口に当接させる必要がないので、取水口は、制御弁の弁体及び弁座から離れた位置に設けても良い。このように、取水口の設置位置の制約が少なくなるので、制御弁の構造をシンプルにすることができる。
【００１０】
さらに、フロート弁体を採用したことにより、制御弁の弁体の構成に関わりなく流水検知装置の取水口を開閉させることができる。このため、乾式又は予作動式スプリンクラー設備の制御弁に、バタフライ弁を採用することが可能となる。バタフライ弁は、スイング弁や玉形弁よりもコンパクトであるので有利である。
【００１１】
これは、一般にバタフライ弁は、スイング弁や玉形弁のように弁体と弁座が大きな面積で面接触せず、例えば、図７（ａ）に示すように、弁体２全周に設けたシートリング８と、弁孔周囲に設けた弁座７とが、幅（管軸方向幅）の狭い領域ｗで環状に接触し、その狭い領域ｗでの接触により一次側と二次側との水密が維持される。シートリング８と弁座７との接触領域ｗの幅が狭いため、その領域ｗの弁座７に取水口を開口させても、弁体２の開閉動作に伴ってその取水口を塞いだり開放したりさせることが難しい。前記接触領域ｗの幅が取水口の内径に近いか、あるいはその内径よりも狭いからである。
そこで、上記フロート弁体を採用したことにより、制御弁の弁体の構成に関わりなく流水検知装置の取水口を開閉させることができるので、よりコンパクトなバタフライ弁の採用が可能となるものである。
【発明の効果】
【００１２】
この発明は、流水検知装置の取水口にフロート弁体を採用し、二次側に供給される水の浮力を活用してその取水口を開閉させたので、制御弁の弁体を取水口に当接させる必要がない。このため、弁体との接触による取水口周囲の摩耗、損傷を防止し得る。
また、制御弁の弁体を取水口に当接させる必要がないので、取水口の設置位置の制約が少なくなる。このため、制御弁の構造をシンプルにすることができる。
【発明を実施するための最良の形態】
【００１３】
一実施形態を図面に基づいて説明する。この実施形態の流水検知装置は、予作動式消火用スプリンクラー設備において採用されるものである。
その構成は、建物内の天井等に設置されたスプリンクラーヘッドに通じる配管の途中にバタフライ弁形式の制御弁１が設けられている。その制御弁１を挟んで二次側４に加圧空気が、また一次側３には所定の水圧で水が供給され充填されている。また、スプリンクラーヘッドには、所定の温度で溶ける感熱部が設けられており、その感熱部は、常温において二次側４の配管内を気密にシールしている。
【００１４】
前記スプリンクラーヘッドとは別に、同じく天井等に感知器が設置されており、この感知器が火災の発生を感知すると、制御弁１の弁体２を開放させるようになっている。また、火災時には、同時に前記スプリンクラーヘッドの感熱部が溶けてシールが開放されるので、制御弁１の開放によって二次側４に流れ込んだ水が、その二次側４に充填されていた空気を押し出すとともに、放水が開始される。
【００１５】
流水検知装置は、その制御弁１が開放されて、配管の一次側３から二次側４へと水が流通することにより、その配管に生じた流水を、図３（ａ）（ｂ）に示す警報用圧力スイッチ３０が検知し、スプリンクラー設備が作動していることを示す所定の警報を発信する。
【００１６】
警報用圧力スイッチ３０に通じる取水管３１は、弁箱５内の二次側４の弁室に連通する取水管１５に接続されている。この取水管１５は、その上端の取水口１１において、前記二次側４の弁室内に設けたフロート弁体１０用の弁室１２に通じている。取水口１１は、その弁室１２内に鉛直上向きに開口している。
【００１７】
フロート弁体１０は、その弁室１２内に収納されて、二次側４の弁室内に水がない場合には自重により取水口１１の周縁部全周に当接し、その取水口１１を閉じる（図３（ａ）参照）。また、二次側４の弁室内に水が供給されると、その水から受ける浮力によりフロート弁体１０が上昇して前記取水口１１から離れ、その取水口１１を開放する（図３（ｂ）参照）。なお、図２に示すように、弁室１２の二次側４の弁室側への開口部に、フロート押え１２ａを設ければ、フロート弁体１０の脱落を防止し得る。フロート押え１２ａは、弁箱５にねじ込んで固定できるようにすれば、その着脱が簡単である。
このように、取水口１１は、前記制御弁１の開弁状態でのみ前記配管内に開放されるので、警報用圧力スイッチ３０には、スプリンクラー設備の作動時にのみ水圧が導入される。
【００１８】
警報用圧力スイッチ３０による流水の検知は、前記取水口１１から取水管１５，３１、分岐管３３を経て導入される水圧により、配管内に流水がない状態の水圧と、流水が生じた状態の水圧との差異により、その流水の有無を検知することができる。
図中に示す符号は、「３２」が警報用圧力スイッチ３０への水圧の作用を確保するオリフィス、「３８」がオリフィスを通過した水を管外に排出する排出口、「３３ａ」が信号停止弁である。また、「３４」は、二次側圧力計３４ｂへ通じる圧力計用取水管、「３４ａ」はゲージ弁である。さらに、符号「３６」は、一次側圧力計３７へ通じる圧力計用取水管、「３６ａ」はゲージ弁、「３５」は連通管、「３５ａ」は試験弁である。
【００１９】
また、この制御弁１は、一次側３の水圧と二次側４の水圧に基づいて作用する減圧警報用圧力スイッチ４０を備えている。その構成は、図３に示すように、一次側３及び二次側４からそれぞれ開閉弁４１ａ，４２ａを介して引き出された減圧警報用取水管４１，４２  が連通管４４で接続されており、その連通管４４の一方が、分岐管４３及び信号停止弁４３ａを介して減圧警報用圧力スイッチ４０に、他方が、排出管４５及び排出弁４５ａを介して排出口４６に通じている。
【００２０】
バタフライ弁は、図７（ｂ）に示すように、弁体２の面方向が配管の管軸方向に対して直交する状態（鎖線状態）に至る少し手前の状態（実線状態）で、閉弁動作が停止することがある。このため、図中に示すような取水口を設けると、実線に示す状態において、制御弁の弁孔は閉じているにもかかわらず、流水検知装置の取水口は塞がれていない状態となり、警報装置が正常に作動しない状況が起こり得る。
しかし、取水口１１を二次側４の弁室に鉛直上向きに開口させ、その取水口１１を開閉可能なフロート弁体を採用したことにより、弁体２の位置が、上記鎖線状態、実線状態いずれの場合においても、二次側４に水が供給されていなければ取水口１１を確実に閉じることができる。
また、フロート弁体１０による取水口１１の閉鎖によって、二次側４に充填された空気等の気体圧力が圧力スイッチ３０（取水管１５）に働かず、常時大気圧のみ働く状態にでき、且つ、二次側４の気体の漏れや外部からの空気流入を防ぐことができる。
【００２１】
なお、図４に示す実施形態は、取水口１１、フロート弁体１０を収納する弁室１２を備えた取水管ユニット１６を、弁箱５の二次側４の弁室に臨む部分に設けた管径方向の貫通孔１７内に挿入し接合したものである。この取水管ユニット１６により形成された弁室１２は、前記二次側４の弁室に連通して一体となり、取水口１１は、その二次側４の弁室と一体となった弁室１２内に鉛直上向きに開口している。取水管１５は、その取水管ユニット１６の取水口１１に接続されている。
【００２２】
なお、上記実施形態は、この発明の流水検知装置を予作動式スプリンクラー設備に適用したものであるが、乾式スプリンクラー設備にも適用可能である。
予作動式でない乾式スプリンクラー設備に、この発明の流水検知装置を適用した場合、スプリンクラーヘッドの開放に伴う二次側４の圧力変化を検知し、その検知信号により、例えば、ゼンマイ式バネの畜力を開放して弁体２を開弁方向に動作させる構成などが考えられる。
【００２３】
さらに他の実施形態を、図５及び図６に示す。図５は、スイング弁を使用した制御弁１に、上記構成からなる流水検知装置を採用したものである。図６は、玉形弁を使用した制御弁１に、上記構成からなる流水検知装置を採用したものである。その作用、効果は、弁体の開閉機構を除けば上記各実施形態と同様であるので、説明を省略する。
【図面の簡単な説明】
【００２４】
【図１】一実施形態を示し、（ａ）は正面図、（ｂ）は（ａ）のｘ−ｘ断面図
【図２】図１（ｂ）の要部拡大図
【図３】流水検知装置の作用を示す説明図
【図４】他の実施形態を示す要部拡大図
【図５】さらに他の実施形態を示す正面図
【図６】さらに他の実施形態を示す正面図
【図７】従来例の要部拡大図
【符号の説明】
【００２５】
１  制御弁
２  弁体
３  一次側（一次側弁室）
４  二次側（二次側弁室）
５  弁箱
６  弁軸
７  弁座
８  シートリング
９  ストッパ
１０  フロート弁体
１１  取水口
１２  弁室
１５  取水管
１６  取水管ユニット
１７  貫通孔
３０  警報用圧力スイッチ
３１  取水管
３２  オリフィス
３３，４３  分岐管
３３ａ，４３ａ  信号停止弁
３４，３６  圧力計用取水管
３４ａ，３６ａ  ゲージ弁
３４ｂ  二次側圧力計
３５  連通管
３５ａ  試験弁
３７  一次側圧力計
３８  排出口  
４０  減圧警報用圧力スイッチ
４１，４２  減圧警報用取水管
４１ａ，４２ａ  開閉弁
４４  連通管
４５  排出管
４５ａ  排出弁
４６  排出口  
【図１】
2008008352.tif 000003
【図２】
2008008352.tif 000004
【図３】
2008008352.tif 000005
【図４】
2008008352.tif 000006
【図５】
2008008352.tif 000007
【図６】
2008008352.tif 000008
【図７】
2008008352.tif 000009